【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
下記式（１）〜（４）のレターデーションを満たし、下記式（Ａ）で示される繰り返し単位および下記式（Ｂ）で示される繰り返し単位からなり、上記式（Ａ）で表される繰り返し単位が全体の８０〜３０ｍｏｌ％を占めるポリカーボネート共重合体および／または該ポリカーボネート共重合体を含むブレンド体を含有する光学フィルム。
（１）０．１＜Ｒｅ（４５０）／Ｒｅ（５５０）＜０．９５
（２）１．０３＜Ｒｅ（６５０）／Ｒｅ（５５０）＜１．９３
（３）０．５４≦（Ｒｅ（４５０）／Ｒｔｈ（４５０））／（Ｒｅ（５５０）／Ｒｔｈ（５５０））≦０．７２
（４）１．１８≦（Ｒｅ（６５０）／Ｒｔｈ（６５０））／（Ｒｅ（５５０）／Ｒｔｈ（５５０））≦１．４７
（式中、Ｒｅ（λ）は、波長λｎｍの光に対する該フィルムの面内レターデーション値であり、Ｒｔｈ（λ）は、波長λｎｍの光に対する該フィルムの厚み方向のレターデーション値である（単位：ｎｍ）。）
【化１】
2007079561.tif 000001
（上記式（Ａ）においてＲ１〜Ｒ８はそれぞれ独立に水素原子、ハロゲン原子および炭素数１〜６の炭化水素基から選ばれる少なくとも一種の基であり、Ｘは下記式（Ｘ）
【化２】
2007079561.tif 000002
であり、Ｒ９およびＲ１０はそれぞれ独立して水素原子、ハロゲン原子または炭素数１〜３のアルキル基である。）
【化３】
2007079561.tif 000003
（上記式（Ｂ）においてＲ１１〜Ｒ１８はそれぞれ独立に水素原子、ハロゲン原子および炭素数１〜２２の炭化水素基から選ばれる少なくとも一種の基であり、Ｙは下記式群
【化４】
2007079561.tif 000004
から選択され、ここでＲ１９〜Ｒ２１、Ｒ２３及びＲ２４はそれぞれ独立に水素原子、ハロゲン原子及び炭素数１〜２２の炭化水素基から選ばれる少なくとも１種の基であり、Ｒ２２及びＲ２５はそれぞれ独立に炭素数１〜２０の炭化水素基から選ばれる少なくとも１種の基であり、Ａｒ１〜Ａｒ３はそれぞれ独立に炭素数６〜１０のアリール基から選ばれる少なくとも１種の基である。）
【請求項２】
前記光学フィルムが下記式（Ｃ）で示される繰り返し単位が全体の３０〜６０ｍｏｌ％
と、下記式（Ｄ）で示される繰り返し単位が全体の７０〜４０ｍｏｌ％を占めるポリカーボネート共重合体および／または該ポリカーボネート共重合体を含むブレンド体を含有する請求項１に記載の光学フィルム。
【化５】
2007079561.tif 000005
（上記式（Ｃ）においてＲ２６〜Ｒ２７はそれぞれ独立に水素原子またはメチル基から選ばれる。）
【化６】
2007079561.tif 000006
（上記式（Ｄ）においてＲ２８〜Ｒ２９はそれぞれ独立に水素原子またはメチル基から選ばれる。）
【請求項３】
さらに、棒状化合物または円盤状化合物からなるレターデーション発現剤を１種以上含有することを特徴とする請求項１または２に記載の光学フィルム。
【請求項４】
前記光学フィルムが、溶液製膜で製膜され、残留溶剤量が５〜５０質量％の範囲でウェット延伸されて得られたものであることを特徴とする請求項１〜３のいずれかに記載の光学フィルム。
【請求項５】
下記式（５）および（６）を満たすことを特徴とする請求項１〜４のいずれかに記載の光学フィルム。
（５）５＜Ｒｅ（５５０）＜２００
（６）１０＜Ｒｔｈ（５５０）＜４００
【請求項６】
請求項１〜５のいずれかに記載の光学フィルムと、Ｒｅ（５５０）が０〜２００ｎｍであり、且つＲｔｈ（５５０）が−４００〜４００ｎｍである光学異方性層とを有する光学補償フィルム。
【請求項７】
前記光学異方性層が、ディスコティック液晶性分子から成形された層を含む請求項６に記載の光学補償フィルム。
【請求項８】
前記光学異方性層が、棒状液晶性分子から形成された層を含む請求項６に記載の光学補償フィルム。
【請求項９】
前記光学異方性層が、ポリマーフィルムを含む請求項６に記載の光学補償フィルム。
【請求項１０】
前記ポリマーフィルムが、ポリアミド、ポリイミド、ポリエステル、ポリエーテルケトン、ポリアミドイミドポリエステルイミドおよびポリアリールエーテルケトンからなる群から選ばれる少なくとも一種のポリマー材料を含有する請求項９に記載の光学補償フィルム。
【請求項１１】
請求項１〜５のいずれかに記載の光学フィルム、または請求項６〜１０のいずれかに記載の光学補償フィルムと偏光子とを貼りあわせて作製したことを特徴とする偏光板。
【請求項１２】
請求項１〜５のいずれかに記載の光学フィルム、請求項６〜１０のいずれかに記載の光学補償フィルムまたは請求項１１に記載の偏光板を備えてなることを特徴とする液晶表示装置。
【請求項１３】
請求項１〜５のいずれかに記載の光学フィルム、請求項６〜１０のいずれかに記載の光学補償フィルムまたは請求項１１に記載の偏光板を液晶セルの一方に配置し、もう一方に下記式（７）〜（１１）を満たすフィルムを配置したことを特徴とする液晶表示装置。
（７）０＜Ｒｅ（５５０）＜１０
（８）３０＜Ｒｔｈ（５５０）＜４００
（９）１０＜Ｒｔｈ（５５０）／Ｒｅ（５５０）
（１０）１．０＜Ｒｔｈ（４５０）／Ｒｔｈ（５５０）＜２．０
（１１）０．５＜Ｒｔｈ（６５０）／Ｒｔｈ（５５０）＜１．０
（式中、Ｒｅ（λ）は、波長λｎｍの光に対する該フィルムの面内レターデーション値であり、Ｒｔｈ（λ）は、波長λｎｍの光に対する該フィルムの厚み方向のレターデーション値である（単位：ｎｍ）。）
【請求項１４】
請求項１〜５のいずれかに記載の光学フィルム、請求項６〜１０のいずれかに記載の光学補償フィルムまたは請求項１１に記載の偏光板を、液晶セルの上下に１つずつ用いたことを特徴とする液晶表示装置。
【請求項１５】
液晶セル中の液晶分子長軸が、電圧無印加状態においてパネル面に対して略垂直な方向に配向した構造を有する請求項１２〜１４のいずれかに記載の液晶表示装置。
【手続補正２】
【補正対象書類名】明細書
【補正対象項目名】０００７
【補正方法】変更
【補正の内容】
【０００７】
これらの目的は以下の手段によって達成された。
１．下記式（１）〜（４）のレターデーションを満たし、下記式（Ａ）で示される繰り返し単位および下記式（Ｂ）で示される繰り返し単位からなり、上記式（Ａ）で表される繰り返し単位が全体の８０〜３０ｍｏｌ％を占めるポリカーボネート共重合体および／または該ポリカーボネート共重合体を含むブレンド体を含有する光学フィルム。
（１）０．１＜Ｒｅ（４５０）／Ｒｅ（５５０）＜０．９５
（２）１．０３＜Ｒｅ（６５０）／Ｒｅ（５５０）＜１．９３
（３）０．５４≦（Ｒｅ（４５０）／Ｒｔｈ（４５０））／（Ｒｅ（５５０）／Ｒｔｈ（５５０））≦０．７２
（４）１．１８≦（Ｒｅ（６５０）／Ｒｔｈ（６５０）)／（Ｒｅ（５５０）／Ｒｔｈ（５５０））≦１．４７
（式中、Ｒｅ（λ）は、波長λｎｍの光に対する該フィルムの面内レターデーション値であり、Ｒｔｈ（λ）は、波長λｎｍの光に対する該フィルムの厚み方向のレターデーション値である（単位：ｎｍ）。）
【手続補正３】
【補正対象書類名】明細書
【補正対象項目名】００２１
【補正方法】変更
【補正の内容】
【００２１】
本発明は、下記式（１）〜（４）のレターデーションを満たし、式（Ａ）で示される繰り返し単位および式（Ｂ）で示される繰り返し単位からなり、式（Ａ）で表される繰り返し単位が全体の８０〜３０ｍｏｌ％を占めるポリカーボネート共重合体および／または該ポリカーボネート共重合体を含むブレンド体を含有する光学フィルム、これを用いた光学補償フィルム、偏光板および液晶表示装置であるが、本明細書には、それ以外の事項も参考のため記載した。
（１）０．１＜Ｒｅ（４５０）／Ｒｅ（５５０）＜０．９５
（２）１．０３＜Ｒｅ（６５０）／Ｒｅ（５５０）＜１．９３
（３）０．５４≦（Ｒｅ（４５０）／Ｒｔｈ（４５０））／（Ｒｅ（５５０）／Ｒｔｈ（５５０））≦０．７２
（４）１．１８≦（Ｒｅ（６５０）／Ｒｔｈ（６５０）)／（Ｒｅ（５５０）／Ｒｔｈ（５５０））≦１．４７
（式中、Ｒｅ（λ）は、波長λｎｍの光に対する該フィルムの面内レターデーション値であり、Ｒｔｈ（λ）は、波長λｎｍの光に対する該フィルムの厚み方向のレターデーション値である（単位：ｎｍ）。）
以下、図面を用いて本発明の作用を説明する。図１は、一般的なＶＡモードの液晶表示装置の構成を示す模式図である。ＶＡモードの液晶表示装置は、電圧無印加時、即ち黒表示時に、液晶が基板面に対して垂直配向する液晶層を有する液晶セル３と、該液晶セル３を挟持し、且つ互いの透過軸方向（図１では縞線で示した）を直交させて配置された偏光板１及び偏光板２とを有する。図１中、光は、偏光板１側から入射するものとする。電圧無印加時に、法線方向、即ち、ｚ軸方向に進む光が入射した場合、偏光板１を通過した光は、直線偏光状態を維持したまま、液晶セル３を通過し、偏光板２において完全に遮光される。その結果、コントラストの高い画像を表示できる。